(57)【要約】【課題】  本発明は、重量の嵩む荷物を収納したバッグを持ち提げても手に苦痛を感じさせることなく、しかもバッグを開くような際に紛失したりすることのない把持具を提供することにある。【解決手段】  上端が開口する袋物等のバッグ１の上端に取り付けた一対の提げ手２、３に組み付けられる把持具４であって、比較的肉厚なシート状の把持本体５の内面一方端に帯状の引っ掛けベルト６の一方端部を固定し、この引っ掛けベルト６をループ状に反転させて一方の提げ手２を通した状態で引っ掛けベルト６の他方端部を引っ掛けベルト６の前記した一方端部に着脱自在に組み付け、更に、把持本体５をループ状に反転させて他方の提げ手３を通した状態で把持本体５の他方端部を把持本体５の一方端部に着脱自在に組み付けた構成である。【選択図】        図４
2019059484.tif 000002
【特許請求の範囲】
【請求項１】
上端が開口する袋物等のバッグ（１）の上端に取り付けた一対の提げ手（２、３）に組み付けられる把持具（４）であって、比較的肉厚なシート状の把持本体（５）の内面一方端に帯状の引っ掛けベルト（６）の一方端部を固定し、該引っ掛けベルト（６）をループ状に反転させて前記一方の提げ手（２）を通した状態で該引っ掛けベルト（６）の他方端部を引っ掛けベルト（６）の前記一方端部に着脱自在に組み付け、更に、前記把持本体（５）をループ状に反転させて前記他方の提げ手（３）を通した状態で該把持本体（５）の他方端部を把持本体（５）の前記一方端部に着脱自在に組み付けたことを特徴とする把持具。
【発明の詳細な説明】
【技術分野】
【０００１】
本発明は、上端が開口する袋物等のバッグの上端に取り付けた一対の提げ手に組み付けられる把持具に関するものである。
【背景技術】
【０００２】
荷物を収納して手で提げるものとして、通常の手提げバッグやスーパーマーケット等での買い物に使用されるビニール製の袋物が広く利用されており、この種のバッグには、開口する上端に一対の提げ手が取り付けられていて、この提げ手を把持して持ち運ぶことになる。
【０００３】
処が、収納する荷物が例えば複数本の液体収納容器であったり複数の書籍であったりすると極めて重量が嵩んで重くなり、一対の提げ手を把持して持ち運んでいるとこの提げ手が掌や指に食い込み、痛みがあるばかりでなく、痺れを生じたりして甚だ持ちにくいものであることは多く経験する処である。或いは、家電製品のような場合は、箱に紐をかけ、その紐に提げ手として合成樹脂製の取っ手や木製の円筒形のフックを引っ掛けることも行われるが、上記不都合を解消するには至っていない。
そこでこの点に関し、一対の提げ手に緩衝用の把持具を取り付ける構成が以下のような先行技術として開示されている。
【先行技術文献】
【特許文献】
【０００４】
【特許文献１】登録実用新案第３００６０９５号公報
【特許文献２】登録実用新案第３００９１６２号公報
【発明の概要】
【発明が解決しようとする課題】
【０００５】
これ等の考案は、把持具を一対の提げ手に組み付ける構成で、掌や指に対する荷物の重量の食い込みを和らげることができる点では有効と思われる。
【０００６】
しかしながら、買い物では物品を購入するたびにバッグの上端の開口部を開くことになるため、上記した考案の構成では把持具を一対の提げ手から外さなければならず、この際に外した把持具を取り落してしまう、或いは落とさないまでもその処置の困ることになると想定される。急な降雨で、バッグ内に収納していた折畳み傘を出さなければならないような状況の時は、上記したような不都合は顕著である。
【０００７】
よって本発明は、上述した従来技術の欠点、不都合、不満を解消するべく発明されたものであって、重量の嵩む荷物を収納したバッグを持ち提げても手に苦痛を感じさせることなく、しかもバッグを開くような際に紛失したりすることのない把持具を提供することにある。
【課題を解決するための手段】
【０００８】
上記課題を解決するため、本発明の把持具は、上端が開口する袋物等のバッグの上端に取り付けた一対の提げ手に組み付けられる把持具であって、比較的肉厚なシート状の把持本体の内面一方端に帯状の引っ掛けベルトの一方端部を固定し、この引っ掛けベルトをループ状に反転させて前記した一方の提げ手を通した状態でこの引っ掛けベルトの他方端部を引っ掛けベルトの前記した一方端部に着脱自在に組み付け、更に、前記した把持本体をループ状に反転させて前記した他方の提げ手を通した状態でこの把持本体の他方端部を把持本体の前記した一方端部に着脱自在に組み付けたことを特徴とする構成である。
【発明の効果】
【０００９】
従って本発明の把持具では、バッグの上端に取り付けた一対の提げ手は把持具によって一体的に包み組み付けられているので、提げ手を提げた際に比較的肉厚なシート状の把持本体が緩衝材となって掌や指に負担をかけさせず、長時間にわたって保持することができる。
【００１０】
また、バッグ内の収納物を取り出したり、買い物途中に必要に応じたりしてバッグの開口部を開かなければならないような場合は、把持本体の他方端部と一方端部との組み付けを解けばバッグの他方の提げ手を外すことができるので、バッグのこの開口を容易に達成できる。
【００１１】
この場合、バッグの一方の提げ手は、一方端部が把持本体の内面に固定されてループ状に反転し且つ他方端部をこの一方端部に着脱自在に組み付けた帯状の引っ掛けベルトに通されたままであるので、把持具全体としてはバッグの一方の提げ手から脱落することはなく、従って紛失したり取扱いに不便となったりすることはないのである等、本発明は多くの優れた作用効果を奏する。
【図面の簡単な説明】
【００１２】
【図１】本発明のかかる把持具をバッグの提げ手に組み付けた状態を示す正面図である。
【図２】把持本体を開き、引っ掛けベルトを閉じた状態の平面図である。
【図３】把持本体と引っ掛けベルトを開いた状態の平面図である。
【図４】引っ掛けベルトを半開きにした状態の要部断面図である。
【発明を実施するための形態】
【００１３】
本発明の把持具４は、上端が開口する袋物等のバッグ１の上端に取り付けた一対の提げ手２、３をまとめて包むように組み付けられるものであり、この把持具４は、比較的肉厚なシート状の把持本体５と、その内面に組み付けられる帯状の引っ掛けベルト６から構成される。
【００１４】
引っ掛けベルト６は、その一方端部が把持本体５の内面の一方端に固定され、ループ状に反転させた他方端部が前記した引っ掛けベルト６の一方端部に着脱自在に組み付けるのであるが、この組み付けの際、前記したバッグ１の上端に取り付けた一対の提げ手２、３のうち、一方の提げ手２のみをループ状とする引っ掛けベルト６内に通しておく。
【００１５】
そして更に、把持本体５をループ状に反転させて、この他方端部を一方端部に着脱自在に組み付けるのであるが、この組み付けの際、バッグ１の上端に取り付けた一対の提げ手２、３のうちの残る他方の提げ手３をこのループ内に通すのである。
【実施例】
【００１６】
把持本体５は、保持した一対の提げ手２、３にかかる重量によって掌等に負担がかからないようにするため比較的肉厚なシート状であり、円形であって、半月状に折り曲げることのできる程度の可撓性を有し、材料としては例えば革靴等を成形する際の皮革が加工細工性の良い点で適している。また、引っ掛けベルト６も可撓性等の点で同様の材質であるが、肉厚である必要はない。
【００１７】
把持本体５一方端の内面と引っ掛けベルト６の一方端部との固定は、図示実施例では押しボタン７と第一の凹型スナップボタン８を介して行う。即ち、把持本体５の一方端外面から押しボタン７を貫通させ、その先端部を引っ掛けベルト６の一方端部に貫通させた第一の凹型スナップボタン８にカシメ固定するのである。但し、これらの用具を使用せず、把持本体５一方端と引っ掛けベルト６の一方端部とを直接縫合して固定しても良い。
【００１８】
次に引っ掛けベルト６の他方端部にあっては、その内面に上記した第一の凹型スナップボタン８に嵌まり込む第一の凸型スナップボタン９、及び外面に第二の凸型スナップボタン１０が配され、この第一の凸型スナップボタン９と第二の凸型スナップボタン１０とは、引っ掛けベルト６の他方端部を貫通して一体組み付けされ、カシメ固定する。
【００１９】
即ち、引っ掛けベルト６をループ状に反転させて一方の提げ手２を通した状態で、第一の凸型スナップボタン９を第一の凹型スナップボタン８に嵌め込み、着脱自在に組み付けるのである。この場合、凸型スナップボタン９と第一の凹型スナップボタン８との着脱自在な組み付けを、例えば面ファスナーを用いて達成しても良いものである。
【００２０】
次いで把持本体５の他方端部にあっては、外面から押しボタン（図示省略）を貫通させ、内面で、この押しボタンの先端部を他方端部に貫通させた第二の凹型スナップボタン１１にカシメ固定する。そして把持本体５をループ状に反転させて他方の提げ手３を通した状態で、第二の凹型スナップボタン１１を前記した引っ掛けベルト６の第二の凸型スナップボタン１０に嵌め込み、着脱自在に組み付けるのである。ここでも第二の凹型スナップボタン１１と第二の凸型スナップボタン１０との着脱自在な組み付けを、例えば面ファスナーを用いて達成しても良いものである。
【符号の説明】
【００２１】
１  バッグ
２  一方の提げ手
３  他方の提げ手
４  把持具
５  把持本体
６  引っ掛けベルト
７  押しボタン
８  第一の凹型スナップボタン
９  第一の凸型スナップボタン
１０  第二の凸型スナップボタン
１１  第二の凹型スナップボタン
【図１】
2019059484.tif 000003
【図２】
2019059484.tif 000004
【図３】
2019059484.tif 000005
【図４】
2019059484.tif 000006